(57)【要約】【課題】本発明は直管形蛍光灯を弧形型押しリブで剛性支持し、且つ高密度多点支持する蛍光灯用サックを提供する。【解決手段】リブ付き緩衝紙１′と、該緩衝紙１′の外面を覆う外装紙２′とから成る複合板紙３′を用い、該緩衝紙１′の内面側リブ４ａ′を圧縮変形せる筋押し折線を介し四角筒体に折曲して、複合板紙３′の二辺を上記四角筒体の一側面において対向せしめ、該対向辺間にテープ紙６′を接着し、上記各リブを四角筒体の内外面において周方向に延在し且つ軸線方向に並列して配置し、上記内面側の各リブ４ａ′が四角筒体に内挿した直管形蛍光灯７の上下左右弧面により圧縮変形されつつ同蛍光灯を支持する蛍光灯用サックにおいて、上記各リブ４ａ′，４ｂ′の高さを０．４〜０．７ｍｍに設定し、上記各リブの軸線方向の間隔を１．５〜３．０ｍｍに設定した蛍光灯用サック。【選択図】　　　　図３
2004010084.tif 000002
【特許請求の範囲】
【請求項１】
内面側と外面側に交互に突出せる多数の弧形型押しリブを有し、該各弧形型押しリブを上記内面側と外面側において互いに並列して配置したリブ付き緩衝紙と、該緩衝紙の外面を覆い該外面側に突出する各弧形型押しリブの頂部に貼り合わせられた外装紙とから成る複合板紙を用いる；該複合板紙を内面側の各弧形型押しリブと交叉する方向に延び且つ同リブを圧縮変形せる筋押し折線を介して四角筒体に折曲形成する；該折曲により複合板紙の各弧形型押しリブの終端側二辺を上記四角筒体の一側面中央部において対向せしめ、該対向辺間における上記外装紙の外面にテープ紙を接着して四角筒体を形成する；上記各弧形型押しリブを四角筒体の内面側と外面側において周方向に延在し且つ軸線方向に並列して配置する；上記内面側の各弧形型押しリブが四角筒体に内挿した直管形蛍光灯の上下左右弧面により圧縮変形されつつ同蛍光灯を支持する蛍光灯用サックにおいて；上記各弧形型押しリブの高さを０．４ｍｍ〜０．７ｍｍに設定し；上記各弧形型押しリブの軸線方向の間隔を１．５ｍｍ〜３．０ｍｍに設定したことを特徴とする蛍光灯用サック。
【請求項２】
上記緩衝紙の坪量を２５ｇ〜５０ｇに設定したことを特徴とする請求項１記載の蛍光灯用サック。
【請求項３】
上記筋押し折線を各弧形型押しリブの頂部から同リブの中間部までの深さに形成したことを特徴とする請求項１記載の蛍光灯用サック。
【発明の詳細な説明】
【０００１】
【発明の属する技術分野】
本発明は直管形蛍光灯を内挿し保護する直管形蛍光灯用サックに関する。
【０００２】
【従来の技術】
旧来より使用されている直管形蛍光灯用サックは図１乃至図８の各Ａ図に示すように、リブ付き緩衝紙１に外装紙２を貼り合わせた複合板紙３を用い、これを四角筒体に形成している。
【０００３】
上記緩衝紙１はその内面側と外面側に交互に突出せる多数の弧形型押しリブ４ａ，４ｂを有し、該各弧形型押しリブ４ａ，４ｂを上記内面側と外面側において互いに並列して配置した構造を有する。
【０００４】
上記緩衝紙１の外面を外装紙２で覆い、該外面側に突出する各弧形型押しリブ４ｂの頂部に貼り合わせている。
【０００５】
図１乃至図５の各Ａ図に示すように、上記緩衝紙１と外装紙２から成る複合板紙３に内面側の各弧形型押しリブ４ａと交叉する方向に延び且つ同リブ４ａを圧縮変形せる筋押し折線５を介して四角筒体に折曲形成する。
【０００６】
上記折曲により複合板紙３の各弧形型押しリブ４ａ，４ｂの終端側二辺を上記四角筒体の一側面中央部において対向せしめ、該対向辺間における上記外装紙２の外面にテープ紙６を接着して四角筒体を形成する。従って外装紙２は四角筒体の外周面を覆い、その表面に蛍光灯の仕様や商標等が印刷されている。
【０００７】
上記各弧形型押しリブ４ａは上記四角筒体の内面側において周方向（四角筒体の軸線方向と略直交する方向）に延在し、且つ軸線方向に並列する。同様に上記各弧形型押しリブ４ｂは上記四角筒体の外面側において周方向に延在し、且つ軸線方向に並列する。
【０００８】
図５，図７，図８の各Ａ図に示すように、上記四角筒体の四内側面に配された各弧形型押しリブ４ａは、該四角筒体に内挿した直管形蛍光灯７の上下左右弧面により圧縮変形Ｔされつつ同蛍光灯７を支持する。即ちこの圧縮変形量Ｔを大きくして蛍光灯７の弧面に対する接触面積を大きくし蛍光灯７を柔支持する構造としている。
【０００９】
即ち上記蛍光灯用サックは、四角筒体の四側面に配された各弧形型押しリブ４ａ，４ｂに緩衝機能（柔支持機能）を担わせんとするものであり、この緩衝機能を最も有効に発揮させるための各弧形型押しリブ４ａ，４ｂの仕様として、図６Ａに示すように、同リブ４ａ，４ｂの高さＨを１．１８ｍｍ〜２．５４ｍｍに設定し、又同リブ４ａ，４ｂの間隔Ｐを３．１６ｍｍ〜６．００ｍｍに設定している。
【００１０】
この時の四角筒体の長さ又は蛍光灯７の長さ３００ｍｍに対するリブ４ａ，４ｂの数は９４．９３〜５０．００条である。直管形蛍光灯用サックとしては上記仕様のものが旧来より一貫して用いられてきており、変更をみていない。
【００１１】
【発明が解決しようとする課題】
この仕様は弧形型押しリブの高さを、四角筒体の口径や用紙等の条件の制限下で許容される最大の高さに設定し、直管形蛍光灯をできるだけ柔支持し、圧縮変形量を可及的に大きくして同蛍光灯の上下左右の弧面に対する接触面積を可及的に大きくし、所期の緩衝効果を得んとする基本思想に由来しているが、それが果たして最善のものであるかどうかについては比較例が存在しない。
【００１２】
又従来例においては印刷紙である外装紙が弧形型押しリブ間において弛みを生じ美粧効果を損なう。即ち全体として外装紙が波を打ち外観を損なうばかりか、印刷文字等の再現性を損なう。
【００１３】
【課題を解決するための手段】
而して発明者は上記蛍光灯用サックの仕様が、同サックに求められる緩衝機能等において最善のものであるのか否かについて検討を重ねた結果、従来とは正反対に直管形蛍光灯を弧形型押しリブで剛性支持し、且つ高密度多点支持する本発明を着想したものである。
【００１４】
この蛍光灯用サックにおいては上記緩衝紙の各弧形型押しリブの高さを０．４ｍｍ〜０．７ｍｍに設定した。又上記各弧形型押しリブの軸線方向の間隔を１．５ｍｍ〜３．０ｍｍに設定した。この時の四角筒体の長さ又は蛍光灯７の長さ３００ｍｍに対するリブの数は２００〜１００条であり、これにより高密度多点支持で且つ剛性支持を実現する。
【００１５】
上記緩衝紙における低背の弧形型押しリブを健全に型押し成形できる坪量は、２５ｇ〜５０ｇの範囲である。
【００１６】
又上記筋押し折線は各弧形型押しリブの全高さに達する深さにせず、リブの頂部から同リブの中間部までの深さに設定し、残存するリブの基部が各筋押し折線によって四角筒体を形成した時に、強制的に変形されて弾発力を生じ、四角筒体を堅固に保持するようにした。
【００１７】
【発明の実施の形態】
上記直管形蛍光灯用サックは従来例と同様、図１Ｂに示すリブ付き緩衝紙１′に外装紙２′を貼り合わせた複合板紙３′を用い、これを図４Ｂ，図５Ｂに示すように四角筒体に形成している。
【００１８】
上記緩衝紙１′はその内面側と外面側に交互に突出せる多数の弧形型押しリブ４ａ′，４ｂ′を有し、該各弧形型押しリブ４ａ′，４ｂ′を上記内面側と外面側において互いに並列して配置した構造を有する。
【００１９】
上記緩衝紙１′の外面を外装紙２′で覆い、該外面側に突出する各弧形型押しリブ４ｂ′の頂部に貼り合わせ複合板紙３′にする。
【００２０】
図１Ｂ，図２Ｂに示すように、上記緩衝紙１′と外装紙２′から成る複合板紙３′に内面側の各弧形型押しリブ４ａ′と略直交して交叉する方向に延び且つ同リブ４ａ′を圧縮変形せる筋押し折線５′を付し、該筋押し折線５′を介し図３乃至図５の各Ｂ図に示すように四角筒体に折曲形成する。
【００２１】
上記筋押し折線５′は後述するように弧形型押しリブ４ａ′の弧形谷部に達しない深さにし、残存基部５″を形成する。又弧形型押しリブ４ａ′の高さＨ′と間隔Ｐ′（蛍光灯７の単位長に対し接するリブ４ａの条数）は後述するように、剛性支持と高密度多点支持を実現するように設定する。
【００２２】
上記複合板紙３′を筋押し折線５′を介して折曲することにより、該複合板紙３′の各弧形型押しリブ４ａ′，４ｂ′の終端側二辺を上記四角筒体の一側面中央部において対向せしめ、該対向辺間における上記外装紙２′の外面にテープ紙６′を接着して四角筒体を形成する。従って外装紙２′は四角筒体の外周面を覆い、その表面に蛍光灯の仕様や商標等が印刷されている。
【００２３】
上記各弧形型押しリブ４ａ′は上記四角筒体の内面側において周方向（四角筒体の軸線方向と略直交する方向）に延在し、且つ軸線方向に並列する。同様に上記各弧形型押しリブ４ｂ′は上記四角筒体の外面側において周方向に延在し、且つ軸線方向に並列する。
【００２４】
前記の通り両リブ４ａ′，４ｂ′は軸線方向において互い違いに配置される。即ち内面側におけるリブ４ａ′が外面側における弧形谷部となり、外面側におけるリブ４ｂ′が内面側における弧形谷部となり何れも弧形頂部を有する。
【００２５】
図７Ｂ，図８Ｂに示すように、上記内面側の各弧形型押しリブ４ａ′は四角筒体に内挿した直管形蛍光灯７の上下左右弧面により押圧されて、その頂部が僅かに圧縮変形Ｔ′しつつ同蛍光灯７を支持する構造にする。
【００２６】
即ち上記蛍光灯用サックは、四角筒体の四側面に配された各弧形型押しリブ４ａ′，４ｂ′に緩衝機能（剛性支持機能）を担わせんとするものであり、この緩衝機能を最も有効に発揮させるための各弧形型押しリブ４ａ′，４ｂ′の仕様として、図６Ｂ等に示すように、同リブ４ａ′，４ｂ′の高さＨ′を０．４ｍｍ〜０．７ｍｍに設定する。
【００２７】
又上記各弧形型押しリブ４ａ′，４ｂ′の軸線方向の間隔Ｐ′を１．５ｍｍ〜３．０ｍｍに設定する。この時の四角筒体の長さ又は蛍光灯７の長さ３００ｍｍに接圧するリブ４ａ′の数は２００〜１００条であり、これにより高密度多点支持で且つ剛性支持を実現する。
【００２８】
再述すると従来例における弧形型押しリブ４ａ，４ｂの高さＨは１．１８ｍｍ〜２．５４ｍｍであるのに対し、本発明は弧形型押しリブ４ａ′，４ｂ′の高さＨ′を０．４ｍｍ〜０．７ｍｍに設定する。換言すると本発明に係るこの弧形型押しリブ４ａ′，４ｂ′の高さＨ′を、従来例のそれに対し概ね三分の一程度にする。これにより従来例が柔支持であるのに対し、剛性支持を実現する。
【００２９】
又上記上記従来例における各弧形型押しリブ４ａ，４ｂの間隔Ｐは３．１６ｍｍ〜６．００ｍｍであるのに対し、本発明は上記各弧形型押しリブ４ａ′，４ｂ′の軸線方向の間隔Ｐ′を１．５ｍｍ〜３．０ｍｍに設定する。換言すると本発明に係る弧形型押しリブ４ａ′，４ｂ′の間隔Ｐ′を、従来例のそれに対し概ね二分の一程度にする。これにより従来例の多点支持を倍増し、高密度多点支持を実現する。又この弧形型押しリブ４ａ′，４ｂ′の間隔Ｐ′は上記低背の弧形型押しリブ４ａ′，４ｂ′と協働して上記剛性支持を実現する。
【００３０】
又従来例における高さＨと間隔Ｐの設定により四角筒体の長さ又は蛍光灯７の長さ３００ｍｍに接圧する弧形型押しリブ４ａの数は９４．９３条〜５０．００条であるのに対し、本発明は蛍光灯７の長さ３００ｍｍに接圧する弧形型押しリブ４ａ′の数は２００条〜１００条であり、略二倍に達する。
【００３１】
又図７Ａ，図８Ａに示すように、従来の蛍光灯用サックは四角筒体の四側面の各弧形型押しリブ４ａの圧縮変形量Ｔを大きくして蛍光灯７の弧面に対する接触面積を大きくし蛍光灯７を柔支持する構造としている。
【００３２】
これに対し本発明における蛍光灯用サックは図７Ｂ，図８Ｂに示すように、上記弧形型押しリブ４ａ′の圧縮変形量Ｔ′を大幅に少なくして蛍光灯７の弧面に対する接触面積を小さくし蛍光灯７を剛性支持する。
【００３３】
又従来例における蛍光灯用サックは図６Ａに示すように、印刷紙である外装紙２が弧形型押しリブ４ｂ間において弛みを生じ美粧効果を損なう。即ち全体として外装紙２が波を打ち外観を損なうばかりか、印刷文字等の再現性を損なう。加えて外装紙２が剥離し易い問題点を有している。
【００３４】
これに対し本発明における蛍光灯用サックは図６Ｂに示すように、印刷紙である外装紙２′が弧形型押しリブ４ｂ′間における充分な緊張（平面性）が得られ、美粧効果を高める。即ち全体として外装紙２′の平面性を確保し、外装紙２′に付された印刷文字等の再現性を確保する。加えて外装紙２′は高密度配置された弧形型押しリブ４ｂ′の頂部に堅固に貼付され、剥離し難いものとなる。
【００３５】
上記緩衝紙１′における低背の弧形型押しリブ４ａ′，４ｂ′を適切に型押し成形できる坪量は、２５ｇ〜５０ｇの範囲である。これに対し従来例における蛍光灯用サックの緩衝紙１の坪量は５０ｇ〜１００ｇの範囲である。
【００３６】
又図２Ａに示すように従来の蛍光灯用サックは、そろばん玉状の形状を呈する筋押し駒を、弧形型押しリブ４ａの頂部が外装紙２に達するように強く押し付けて筋押し折線５を形成し、四角筒体を折曲形成していたが、本発明においては図２Ｂに示すように、筋押し折線５′の深さを各弧形型押しリブ４ａ′の全高さに達する深さにせず、同リブ４ａ′の頂部から同リブ４ａ′の中間部（圧縮変形されない残存基部５″を有する位置）までの深さに設定した。これにより残存するリブ４ａ′の基部５″が各筋押し折線５′によって四角筒体を折曲形成した時に、強制的に変形されて弾発力を生じ、四角筒体を堅固に保持するようにした。
【図面の簡単な説明】
【図１】Ａは従来例における蛍光灯用サックに用いる複合板紙の平面図、Ｂは本発明における蛍光灯用サックに用いる複合板紙の平面図。
【図２】Ａは従来例における蛍光灯用サックの筋押し折線を示す拡大縦断面図、Ｂは本発明における蛍光灯用サックの筋押し折線を示す拡大縦断面図。
【図３】Ａは従来例における蛍光灯用サックの縦断面図、Ｂは本発明における蛍光灯用サックの縦断面図。
【図４】Ａは従来例における蛍光灯用サックの横断面図、Ｂは本発明における蛍光灯用サックの横断面図。
【図５】Ａは従来例における蛍光灯用サックを直管形蛍光灯の挿入状態を以って示す横断面図、Ｂは本発明における蛍光灯用サックを直管形蛍光灯の挿入状態を以って示す横断面図。
【図６】Ａは従来例における蛍光灯用サックの弧形型押しリブの高さと間隔を示す拡大縦断面図、Ｂは本発明における蛍光灯用サックの弧形型押しリブの高さと間隔を示す拡大縦断面図。
【図７】Ａは従来例における蛍光灯用サックの弧形型押しリブの直管形蛍光灯による圧縮変形状態を示す拡大縦断面図、Ｂは本発明における蛍光灯用サックの弧形型押しリブの直管形蛍光灯による圧縮変形状態を示す拡大縦断面図。
【図８】Ａは従来例における蛍光灯用サックの弧形型押しリブの直管形蛍光灯による圧縮変形状態を示す拡大平面図、Ｂは本発明における蛍光灯用サックの弧形型押しリブの直管形蛍光灯による圧縮変形状態を示す拡大平面図。
【符号の説明】
１′…緩衝紙、２′…外装紙、３′…複合板紙、４ａ′，４ｂ′…弧形型押しリブ、５′…筋押し折線、５″…残存基部、６′…テープ紙、７…直管形蛍光灯、Ｔ′…弧形型押しリブの圧縮変形量、Ｈ′…弧形型押しリブの高さ、Ｐ′…弧形型押しリブの間隔
【図１】
2004010084.tif 000003
【図２】
2004010084.tif 000004
【図３】
2004010084.tif 000005
【図４】
2004010084.tif 000006
【図５】
2004010084.tif 000007
【図６】
2004010084.tif 000008
【図７】
2004010084.tif 000009
【図８】
2004010084.tif 000010